(57)【要約】  プログラムのコンテンツストリームの部分が、プログラムを新たなセグメントスペースにマッピングする要約機能を利用して、コンテンツ部分が、コンテンツストリームの始め、中間又は終わり部分であるかに応じて、自動的に要約される。生成されるサマリはまた、要約されたセグメントの期間、サマリの選択された長さ、プログラムタイプ（ライブ配信又はストレージからの再生）、ジャンル及び個人化されたユーザプロファイル情報に依存する。利用可能である場合には、プログラム全体の完全なサマリが、コンテンツ部分サマリを生成するのに利用されてもよい。自動映像コンテンツ解析が、サブタイトル又は補助情報ソースの解析と共に、何れかが利用可能である場合には、サマリを生成するのに利用されるかもしれない。
2007534261.tif 000002
【特許請求の範囲】
【請求項１】
コンテンツストリームが受信される入力と、
前記受信したコンテンツストリームの少なくとも一部が格納されるストレージと、
前記ストレージに接続され、前記受信したコンテンツストリームの選択された部分を要約するコントローラと、
を有するコンテンツ提示システムであって、
前記コントローラによって生成されるサマリは、前記受信したコンテンツストリームの選択された部分が、前記コンテンツストリームの始め、中間又は終わり部分であるかに依存することを特徴とするシステム。
【請求項２】
請求項１記載のコンテンツ提示システムであって、
前記コントローラにより生成されるサマリは、前記コンテンツストリームの選択された部分の長さとサマリの長さに依存することを特徴とするシステム。
【請求項３】
請求項１記載のコンテンツ提示システムであって、
前記コントローラにより生成されるサマリは、前記コンテンツストリームの経過時間と前記コンテンツストリームのトータルの長さに依存することを特徴とするシステム。
【請求項４】
請求項１記載のコンテンツ提示システムであって、
前記コントローラにより生成されるサマリは、前記コンテンツストリームがライブ配信又は格納されているコンテンツの再生を有するかに依存することを特徴とするシステム。
【請求項５】
請求項１記載のコンテンツ提示システムであって、
前記コントローラは、前記コンテンツストリームの選択された部分を前記サマリを生成するための新たなセグメントスペースにマッピングする要約機能を実行することを特徴とするシステム。
【請求項６】
請求項５記載のコンテンツ提示システムであって、
前記要約機能は、利用可能な場合には、前記コンテンツストリーム全体の完全なサマリを利用することを特徴とするシステム。
【請求項７】
請求項５記載のコンテンツ提示システムであって、
前記要約機能は、映像コンテンツ解析、サブタイトル解析、及び前記コンテンツストリームとは独立したソースから抽出される補助情報解析の１以上を有することを特徴とするシステム。
【請求項８】
請求項１記載のコンテンツ提示システムを有する映像表示装置であって、
前記コンテンツストリームと前記サマリが提示されるディスプレイと、
当該映像表示装置の動作を選択的に制御するリモコンユニットと、
を有することを特徴とする装置。
【請求項９】
請求項８記載の映像表示装置であって、
前記リモコンユニットは、前記コントローラによる前記サマリの生成を選択的に起動するためのユーザ制御を有することを特徴とする装置。
【請求項１０】
コンテンツストリームを受信するステップと、
前記受信したコンテンツストリームの少なくとも一部を格納するステップと、
前記受信したコンテンツストリームの選択された部分を要約するステップと、
を有するコンテンツ提示方法であって、
前記要約するステップにより生成されるサマリは、前記受信したコンテンツストリームの選択された部分が、前記コンテンツストリームの始め、中間又は終わり部分であるかに依存することを特徴とする方法。
【請求項１１】
請求項１０記載の方法であって、
前記サマリは、前記コンテンツストリームの選択された部分の長さとサマリの長さに依存することを特徴とする方法。
【請求項１２】
請求項１０記載の方法であって、
前記サマリは、前記コンテンツストリームの経過時間と前記コンテンツストリームのトータルの長さに依存することを特徴とする方法。
【請求項１３】
請求項１０記載の方法であって、
前記サマリは、前記コンテンツストリームがライブ配信又は格納されているコンテンツの再生を有するかに依存することを特徴とする方法。
【請求項１４】
請求項１０記載の方法であって、
前記サマリは、前記コンテンツストリームの選択された部分を新たなセグメントスペースにマッピングする要約機能の実行により生成されることを特徴とする方法。
【請求項１５】
請求項１４記載の方法であって、
前記要約機能は、利用可能な場合には、前記コンテンツストリーム全体の完全なサマリを利用することを特徴とする方法。
【請求項１６】
請求項１４記載の方法であって、
前記要約機能は、映像コンテンツ解析、サブタイトル解析、及び前記コンテンツストリームとは独立したソースから抽出される補助情報解析の１以上を有することを特徴とする方法。
【請求項１７】
請求項１０記載の方法であって、さらに、
リモコン装置上のユーザ制御の起動に応答して、前記サマリの生成を開始するステップを有することを特徴とする方法。
【請求項１８】
ディスプレイと、
該ディスプレイ上に表示されるコンテンツストリームの選択された部分のサマリの表示を選択的に始動するコントローラと、
を有する映像システムであって、
前記サマリは、前記選択された部分が、前記コンテンツストリームの始め、中間又は終わり部分であるかに依存することを特徴とするシステム。
【請求項１９】
請求項１８記載の映像システムであって、
前記サマリは、
前記コンテンツストリームの選択された部分の
長さと、
ユーザにより選択されたサマリの長さと、
前記コンテンツストリームの経過時間と、
前記コンテンツストリームのトータルの長さと、
の１以上に依存し、前記コンテンツストリームは、ライブ配信又は格納されているコンテンツの再生を有することを特徴とするシステム。
【請求項２０】
請求項１８記載の映像システムであって、
前記コントローラは、当該映像システムに係るリモコン上の要約ユーザ制御の起動に応答して、前記サマリの表示を起動することを特徴とするシステム。
【発明の詳細な説明】
【技術分野】
【０００１】
本発明は、一般にコンテンツストリームの再生に関し、より詳細にはコンテンツストリームの自動的及びカスタマイズされた要約の提供に関する。
【背景技術】
【０００２】
ときどき、テレビ放送やデジタル多用途ディスク（ＤＶＤ）にみられるようなエンターテイメントコンテンツストリームの視聴者は、ある部分を見逃した後、ストリームのコンテンツ内の展開を、見逃した部分全体を視聴することなく「キャッチアップする（ｃａｔｃｈ  ｕｐ）」ことを所望するかもしれない。これらの状況では、自動的なコンテンツ解析及び要約を利用して生成されるサマリが効果的となるであろう。
【０００３】
従って、放送中の配信又は格納されているコンテンツの一部の自動的な要約に対する効果的アプローチが必要とされる。
【発明の開示】
【発明が解決しようとする課題】
【０００４】
従来技術の上述した問題点を解決するため、本発明の主要な課題は、コンテンツ提示システムにおける利用のため、プログラムを新たなセグメントスペースにマッピングし、当該コンテンツ部分が、コンテンツストリームの始め、中間又は終わりの部分であるかに応じて、要約機能を利用するプログラムのコンテンツストリームの一部の自動的な要約を提供することである。生成されたサマリはまた、要約されたセグメントの期間、サマリの選択された長さ、プログラムタイプ（ライブ配信又はストレージからの再生）、ジャンル及び個人化されたユーザプロファイル情報に依存する。利用可能である場合には、プログラム全体の完全なサマリが、コンテンツ部分サマリを生成するのに利用されてもよい。自動映像コンテンツ解析は、サブタイトル又は補助情報ソースの解析と共に、何れかが利用可能である場合には、サマリを生成するのに利用されるかもしれない。他の技術的効果は、以下の図面、記載及び請求項から当業者に容易に明らかとなるであろう。
【０００５】
以下の「発明の詳細な説明」を始める前に、本特許文献を通じて使用される単語又はフレーズの定義を与えておくことが効果的であるかもしれない。「含む」及び「有する」という用語とそれらの派生語が限定されることのない包含を意味し、「又は」という用語が「及び／又は」を意味する包含的なものであり、「係る」及び「それに関連付けされる」というフレーズ及びそれらの派生語が、「〜の中に含まれる」、「相互接続する」、「含む」、「〜の中に含まれる」、「〜と又は〜に結合する」、「〜と通信可能である」、「〜と協調する」、「インタリーブする」、「並列する」、「〜に近似する」、「〜により又は〜に制限される」、「有する」、「〜の性質を有する」などを意味するかもしれず、「コントローラ」という用語は、当該装置がハードウェア、ファームウェア、ソフトウェア又は同じものの少なくとも２つの組み合わせにより実現されているかに関わらず、少なくとも１つの処理を制御する任意の装置、システム又はその一部を意味する。何れかのコントローラに係る機能は、ローカル又はリモートであるか関わらず集中化又は分散化されていてもよいということに留意すべきである。ある単語及びフレーズの定義が本特許文献を通じて与えられ、当業者は、そのような定義が、大部分ではないが多くの具体例において、このように定義された単語及びフレーズの従来及び将来の使用に適用されることを理解するであろう。
【０００６】
本発明及びその効果のより完全なる理解のため、添付した図面と共になされる以下の説明を参照する。ここでは、同様の番号は、同様のオブジェクトを示している。
【発明を実施するための最良の形態】
【０００７】
以下で説明される図１〜３と、本特許文献において本発明の原理を説明するのに用いられる各種実施例は、単なる説明のためのものであり、本発明の範囲を限定すると解釈されるべきではない。当業者は、本発明の原理が、何れか適切に構成された装置により実現されてもよいということを理解するであろう。
【０００８】
図１は、本発明の一実施例による合成されたコンテンツ提示自動要約システムを示す。システム１００は、映像及び／又は音声コンテンツが受信される配信、地上波又は衛星アンテナ、配信ケーブル又はインターネットの１以上との接続１０２を有するプロセッサ又はコントローラ１０１を含む。接続１０２の代わりに、又はそれに加えて、システム１００は、格納されているコンテンツをデジタル多用途ディスク（ＤＶＤ）、コンパクトディスク（ＣＤ）、セキュアデジタル（ＳＤ）メモリなどの記憶媒体から抽出するための接続１０３を含む。プロセッサ１０１はまた、システム１００の動作を制御し、接続１０２及び／又は１０３を介し受信したコンテンツの出力装置１０５（映像ディスプレイ及び／又はオーディオスピーカーなど）への再生を生成し、以降でさらに詳細に説明されるような自動要約を実行するためのプロセッサ１０１により実行可能なソフトウェアを含むストレージ１０４と接続される。システム１００は、任意的に、オペレーティングシステム１００のユーザ制御セットを提供し、任意的には、要約処理の一部を実現する、好ましくはプログラム可能なリモート制御装置１０６を有するようにしてもよい。例えば、リモート制御装置１０６は、コンテンツの見逃した部分の自動要約を起動するための専用のボタンを有するようにしてもよい。
【０００９】
当業者は、コンテンツ提示自動要約システム１００の完全な構成及び動作が、図面に示されず、又は説明されていないということを認識するであろう。代わりに、簡単化のため、本発明の理解に必要であり、本発明に特徴的なコンテンツ提示自動要約システムの多くのみが図示及び説明される。さらに、当業者は、コンテンツ提示自動要約システム１００が、例えば、テレビシステム、映像又は音声受信機、映像又は音声再生装置、上記装置の何れかの組み合わせ、携帯情報端末（ＰＤＡ）などの１以上として実現されてもよい。
【００１０】
説明のみのため、本発明による要約が、地上波又は配信映像コンテンツストリームから、又は映像記憶媒体上に記録された映像コンテンツを参照して説明される。現在、配信映像コンテンツのための電子番組ガイド（ＥＰＧ）は、タイトル、ジャンル、」キャストなどのハイレベルな情報と共に、放送中のプログラムの簡単な説明を提供する。さらに、要約技術は、典型的にはプログラム全体について、映像コンテンツのより短い表現が生成されることを可能にする。本発明により解決される問題は、すでに進行中のプログラムに入り、プログラムの見逃した部分の中のイベントをキャッチアップし、又は映画又は他のプログラムの任意の部分の要約を迅速に取得することに関する。例えば、視聴者が野球の試合３を試合開始から３０分後に視聴を始めた場合、要約システムは、ここまでの試合のベストのハイライトを与えるべきである。
【００１１】
本発明は、トータルのプログラムの長さ（わかっている場合）、経過したプログラムの長さ、ジャンル及び完全な包括的サマリ（利用可能である場合）を考慮することによって、ベストな要約結果を与えるインテリジェントで適応的な要約技術を提供する。この情報に基づき生成されたキャッチアップサマリは、各視聴者について個人化されるべきである。
【００１２】
図２は、本発明の一実施例によるプログラムの一部を要約するプロセスを示すハイレベルフローチャートである。プロセス２００は、ストレージ１０４から、入力１０２及び／又は１０３を介し受信されたコンテンツに対して処理するソフトウェアプログラムを実行することによりプロセッサ１０１によって行われる。プロセス２００は、受信したコンテンツ（又はプログラム）の一部の要約が開始されることにより始められる（ステップ２０１）。まず、コンテンツ内のある特徴の有無に基づき連続するオリジナルプログラムを新たなセグメントスペースにマップするプログラムｐの包括的要約機能Ｓ（ｐ）が求められる（ステップ２０２）。完全なサマリＦ（ｐ）が利用可能なプログラムについては、この完全なサマリが抽出される（任意的ステップ２０３）。（ユーザが進行中のプログラムに入る時点に基づき、又はユーザの規定により特定される）見逃した部分のキャッチアップサマリＣ（ｐ）が、当該プログラム部分に対して動作する要約機能Ｓ（ｐ）と、利用可能な場合には完全なサマリを利用して、所望のサマリの長さに対するユーザプロファイルのパラメータ、サマリに含まれるべきメディア要素（画像、音声、テキスト）、サマリのコンテンツ要素などに基づき求められる。最もシンプルなケースでは、キャッチアップサマリＣ（ｐ）は、以下でより詳細に説明されるように、２つのサマリＳ（ｐ）とＦ（ｐ）の双方から特定の要素のみを抽出するリニア機能であるかもしれない。
【００１３】
本発明の目的は、映画、任意の放送中のプログラム又は予定されている配信にキャッチアップするため、プログラムの一部のみを要約することである。システム１００は、プログラムコンテンツの解析のためプロセッサ１０１上で実行されるソフトウェアと組み合わされ、プログラムコンテンツ及びメタデータ情報をストレージ１０４に格納する記録機能を有することが前提とされる。包括的要約技術が知られるが、プログラムの一部のみの要約は、進行中のプログラムの一部がすでに提示され、視聴者が当該プログラムの現在時点に入ることを所望するとき、見逃した部分全体を視聴することなく、見逃したコンテンツを自動的に要約するという問題に対する解決手段を必要とする。
【００１４】
図３は、本発明の一実施例による自動要約の対象となるプログラムの異なる部分を示す。本発明では、生成されるサマリは、放送中のプログラムの始め、中間又は終わりの部分が要約されるか否かに依存する。急速スタートシナリオでは、視聴者は、プログラムが開始されてから３０分後にプログラムの視聴を開始することを所望する。中間シナリオでの中断では、視聴者の注意が電話の呼び出しなどの他の作業に一時的に向けられ、ユーザは、見逃された部分全体を視聴した後、実際に視聴していなかった時間より短い時間で視聴していなかった間に起こったことを単に「キャッチアップ」することを所望するかもしれない。このような機能は、ユーザが配信の残りすべてに遅延すること所望せず、起こったことを知り（何か面白いことが起こったかなど）、その後、現時点において進行中のプログラムに再び入ることを所望するスポーツ放送について有用である。最後に、急速終了シナリオでは、プログラムの終わりに、ユーザがプログラムの残りすべてを視聴するよりも、他の何か（外出など）をすることを所望するが、エンディングを見逃したくないかもしれない。
【００１５】
本発明は、要約された部分がプログラムの始めの部分３０１、中間部分３０２又はエンディング部分３０３であるかに基づき、放送中のプログラム３００の一部の「キャッチアップ」サマリを提供する。これは、通常の要約アルゴリズムが、適応的要約装置が上記機能を考慮するだけでなく、最終的なサマリを決定するため要約を複数回繰り返すように、プログラムの実際の長さに対する要約された部分の始めと終わりに基づき「バイアス（ｂｉａｓ）」されることを意味する。サマリはまた、利用可能な時間、見逃された時間、テキスト、空間又はマルチメディアサマリに対する嗜好、ジャンル及びサマリが視聴される位置などのユーザの嗜好に基づき個人化されるべきである。
【００１６】
さらに、この要約は、プログラムが格納及び予め解析されるか、あるいは、プログラムがライブコンテンツの配信に関するものであるかに応じて異なるであろう。ライブ配信の場合、以降において重要であるかに関係なく、プログラムにおいてこれまでわかっていることに基づき、要約されるコンテンツについて決定されねばならない。（記憶媒体上又はストレージから配信される）格納されているコンテンツを要約するのに、完全なプログラムが利用可能である場合、始めの部分又は中間部分の要約は、以降のイベントの重要さの順序に基づきバイアスされるかもしれない。例えば、ある人が始めに比較的重要でない役柄として現れるが、以降において重要人物となる場合、当該人物に関するサマリにおけるより多くの情報が、プログラム３００の始めの部分３０１及び中間部分３０２に対するサマリに、当該部分のコンテンツによってのみ保証されるよりも含まれるかもしれない。
【００１７】
格納されたコンテンツについて、要約処理に対するコンテンツソース、すなわち、ＤＶＤ、配信又はウェブダウンロード映画が考慮されるべきである。ＤＶＤ又は同様の記憶媒体の場合、キャッチアップサマリは、プレビュートレイラ（ｐｒｅｖｉｅｗ  ｔｒａｉｌｅｒ）又は記憶媒体に含まれる他の情報を含むかもしれない。さらに、要約システムは、特定のイベント又は人物に選択的に着目することが可能である。映画作品目録が記憶媒体上に含まれている場合、要約アルゴリズムは、これらもまた利用するかもしれない。
【００１８】
ダウンロードされた映画の場合、サブタイトルデータが格納されている映像について利用可能でなくても、脚本及びストーリーのエンディングに関する情報を提供する完全なトランスクリプション（ｔｒａｎｓｃｒｉｐｔｉｏｎ）又はストーリーボードなど、他のウェブサイトからの追加的な情報が提供されるかもしれない。批評家やファンからの映画の感想が、映画の中の重要イベント及び人物をクロスチェックするのに利用されるかもしれない。この情報の利用は、例えば、サブタイトルを通じてオーディオビジュアル解析とのリンク及び詳細な意味的テキストを要求する。高度な解析が可能でない場合、これらの感想は、追加的な視点を与えることにより、少なくともサマリを充実させるのに利用されるかもしれない。
【００１９】
格納されている又はダウンロードされたコンテンツについては、インターネット接続が利用可能な場合、又は他のソースからの外部情報が利用可能な場合、要約処理はこれらのソースから利用可能な情報による影響を受けるかもしれない。例えば、第２次世界大戦に関するウェブサイトが、新たな情報を第２次世界大戦の映画に追加するのに利用されるかもしれない。
【００２０】
サマリの完全性及びサマリの提示は、サマリを生成するのに考慮される２つの要因である。完全なサマリを利用する必要性と部分的サマリに対する完全なサマリの影響が、「高速終了」オプションが利用されているかと同様に、サマリの完全性について考慮される。ユーザへのサマリの提示に対する異なるモードは、例えば、インスタントサマリ、高速概観、又は完全な（長い）サマリの１つを提供するため、ユーザがサマリをどのような方法により所望しているか、利用可能なサマリ時間、見逃した時間、ユーザの嗜好、ジャンルに基づくものであるかもしれない。
【００２１】
厳密には具体例により、本発明による映画の要約は以下のように行われるかもしれない。高速スタートサマリ（映画の始めの部分を要約した）については、サマリは、トレイラ（利用可能である場合）、タイトルページ、電子番組ガイドからのタイトル及び時間制約最大化の下での映画コンテンツのマッピング（すなわち、１５分が２分にマッピングされ、４５分が２分にマッピングされる）を含む。中間部分サマリについては、新規なアイテムが、個人化されたサマリコンテンツの選択により提示され、サマリコンテンツは、人物検出やイベント検出（爆発など）、新たな人物の登場及びエンディング（利用可能である場合）に基づき含まれる。エンディングの高速終了要約については、サマリは、脚本の頂点（例えば、殺人者の身元や中心人物が結婚したか否かなど）、各重要人物に起こった出来事、映画の中のイベント及び謎の解明の完全なサマリ（「ゆっくりとした」高速終了のため）、及び存在する場合にはテキストのエピソードパラグラフに関する情報を視聴者に提供する。
【００２２】
本発明では、リモコン１０６上の特別なボタン又はプログラム可能なユーザ制御が、好ましくは、キャッチアップ機能へのユーザアクセスを与えるのに設けられる。キャッチアップサマリが、ユーザの嗜好に基づき瞬時に提示される。生成されるサマリのタイプは（始め、中間又は終わり）、プログラムがスタートから提示され、進行中に入ったりなどに基づき、又はユーザ入力に基づき自動的に選択されてもよい。連続して異なる回数キャッチアップボタンを起動することにより、ユーザはサマリ提示レベルを選択することができる（すなわち、詳細さ又は期間のレベルなど）。同じインタフェースが、始め、中間及び終わりの３つすべてのキャッチアップサマリに対して利用可能である。エンディングの場合、ユーザは制御を起動し、その後、装置がキャッチアップサマリが配信されるべき時点に関するユーザの嗜好に従って動作することを予想して、外出することができる。すなわち、映画のエンディングのサマリが、視聴者が戻ってきたとき自宅の映画サーバ上で待機していてもよいし、あるいは、視聴者がエンディングの説明を含む自宅のメディアサーバからの電話の呼び出しを期待するようにしてもよい。
【００２３】
本発明は、プログラムコンテンツを新たなセグメントスペースにマッピングする要約機能を利用して、要約された部分がコンテンツストリームの始め、中間のセグメント又はコンテンツストリームの終わりであるかに応じて異なる要約によって、ユーザに任意のコンテンツストリーム部分の自動要約を可能にする。生成された要約はまた、要約されたセグメントの期間、サマリの選択された長さ、プログラムタイプ（ライブ配信又はストレージからの再生）、ジャンル及び個人化されたユーザ嗜好情報に依存する。利用可能である場合、プログラム全体の完全なサマリが、部分サマリを生成するのに利用されてもよく、要約処理が、最終的なサマリを導出するのに繰り返されるかもしれない。自動映像コンテンツ解析は、サブタイトル又は補助情報ソースの解析と共に、何れかが利用可能である場合には、サマリを生成するのに利用されるかもしれない。
【００２４】
本発明が十分機能的なシステムに関して説明されたが、本発明の機構の少なくとも一部は、各種形式による命令を含むマシーンにより利用可能な媒体の形式により配布することが可能であり、本発明が実際に配布を行うのに利用されるあるタイプの信号担持媒体に関係なく、等しく適用されるということを当業者は理解するであろう。マシーンにより利用可能な媒体の具体例として、読み出し専用メモリ（ＲＯＭ）などの不揮発性ハード符号化タイプ媒体、ＥＥＰＲＯＭ（Ｅｒａｓａｂｌｅ  Ｅｌｅｃｔｒｉｃａｌｌｙ  Ｐｒｏｇｒａｍｍａｂｌｅ  Ｒｅａｄ  Ｏｎｌｙ  Ｍｅｍｏｒｙ）、フロッピー（登録商標）ディスク、ハードディスクドライブ、ＣＤ−ＲＯＭ又はデジタル多用途ディスク（ＤＶＤ）などの記録可能タイプ媒体、及びデジタル及びアナログ通信リンク、フレーム、パケットなどの送信タイプ媒体があげられる。
【００２５】
本発明が詳細に説明されたが、当業者は、最も広い形式により本発明の趣旨及び範囲から逸脱することなく、ここで開示された本発明の様々な変更、代替、変形、拡張、ニュアンス、グラデーション、劣った形式、変更、改訂、改良及び模造が可能であるということを理解するであろう。
【図面の簡単な説明】
【００２６】
【図１】図１は、本発明の一実施例による合成されたコンテンツ提示自動要約システムを示す。
【図２】図２は、本発明の一実施例によるプログラムの一部を要約する処理を示すハイレベルフローチャートである。
【図３】図３は、本発明の一実施例による自動要約の対象となるプログラムの異なる部分を示す。
【図１】
2007534261.tif 000003
【図２】
2007534261.tif 000004
【図３】
2007534261.tif 000005
【国際調査報告】
2007534261.tif 000006
2007534261.tif 000007
2007534261.tif 000008